(57)【要約】      （修正有）【課題】点検口とフィルター等の取付けが可能な流出口とを有する雨水ますにおいて、フィルター等の取付位置に関わらず、比較的簡単な構造によってフィルター等の出し入れ及び着脱を可能にした雨水ますを提供する。【解決手段】本発明によれば、上部に点検口と周壁に流出口とを有する略円筒形の立上り部を備えたます本体と端部に装着口を有し、立上り部の内部へ突出するように流出口へ取り付けられる取付け部と、装着口に対してバヨネット方式で着脱自在に装着される被装着部を有する制御部本体と、制御部本体から上方へ延びる棒状の把手とからなる雨水制御部とを備えており、そして把手の上端部の中心は、被装着部の回転面と平行な平面内において、制御部本体上の把手の取付け部の中心を通る法線から偏心して配置されている雨水ますが提供される。【選択図】図１０Ａ
2020007715.tif 000002
【特許請求の範囲】
【請求項１】
上部に点検口と周壁に流出口とを有する略円筒形の立上り部を備えたます本体と、
端部に装着口を有し、前記立上り部の内部へ突出するように前記流出口へ取り付けられる取付け部と、
前記装着口に対してバヨネット方式で着脱自在に装着される被装着部を有する制御部本体と、前記制御部本体から上方へ延びる棒状の把手とからなる雨水制御部と
を備えており、そして
前記把手の上端部の中心は、前記被装着部の回転面と平行な平面内において、前記制御部本体上の前記把手の取付け部の中心を通る法線から偏心して配置されていることを特徴とする雨水ます。
【請求項２】
前記把手の上端部の中心は、前記法線から、前記制御部本体を前記取付け部へ装着するための回転方向へ偏心して配置されている請求項１に記載の雨水ます。
【請求項３】
さらに、前記把手の上端部の中心は、前記法線を含み且つ前記被装着部の回転面と直交する平面内においても、前記法線から偏心して配置されている請求項１又は２に記載の雨水ます。
【請求項４】
前記把手の上端部の中心は、前記法線から、前記立上り部の中心軸方向へ偏心して配置されている請求項３に記載の雨水ます。
【請求項５】
前記把手は、前記法線と平行であり且つ偏心した前記把手の上端部の中心を通る直線を中心軸とする棒状の把手部分を含んでいる請求項２ないし４のいずれか１項に記載の雨水ます。
【請求項６】
前記雨水制御部を前記取付け部へ装着した時、前記把手部分は、前記雨水ますの前記立上り部の中心軸と略平行に配置される請求項５に記載の雨水ます。
【請求項７】
前記雨水制御部は、網目から出来た半球形状のフィルター、円錐状のオリフィス又は逆流防止弁である請求項１ないし６のいずれか１項に記載の雨水ます。
【請求項８】
前記ます本体は、さらに前記立上り部の下部に接続される略円筒形の有底の泥溜め部を有しており、前記泥溜め部の中には着脱自在に収容されるバケットを備えており、そして
前記立上り部の内径は前記バケットの外径よりも大きく、且つ前記立上り部の中心軸は前記泥溜め部の中心軸よりも流出口側へ偏心していることを特徴とする請求項１ないし７のいずれか１項に記載の雨水ます。
【発明の詳細な説明】
【技術分野】
【０００１】
本発明は、上部に点検口と周壁に流出口とを有する略円筒形の立上り部を備えたます本体と、立上り部の内部へ突出するように流出口へ取り付けられる取付け部と、取付け部に対して着脱自在に装着されるフィルター等の雨水制御部とを備え雨水ます又は雨水浸透ます（以下、これらをまとめて「雨水ます」ともいう。）に関し、特に雨水制御部は取付け部の装着口に対してバヨネット方式で着脱され、そして雨水制御部の把手の上端部の中心は、装着口の回転面と平行な平面内において、雨水制御部の把手の取付け部の中心を通る法線から偏心して配置されている雨水ますに関する。
【背景技術】
【０００２】
一般に、建物の屋根等に降った雨水は、宅地内の雨水ます等によって集められる。雨水には、泥、枯葉等の異物が混入していることがある。このため、雨水ますの外部へ泥等の異物が流出しないようにするため、例えば特開２０１７−１５０１９１号公報（特許文献１）に記載されているように、ます本体の下部には異物を捕捉するための泥溜め容器（バケット）が装着された泥溜め部を設け、ます本体の周壁内側には異物の流出を阻止するためのフィルターやオリフィス、逆流防止弁等を設けた雨水ますが知られている。
【０００３】
特許文献１に記載されているような雨水ますでは、バケットを出し入れする際、バケットがます本体の内部へ突出したフィルター等と干渉しないように、フィルター等はバケットの把手フレームに一体的に取り付けられており、そしてバケットの把手フレームは、ます本体の内壁に設けられたスライド溝へ抜き差しすることにより、内壁と密着するように取り付けおよび取り外しが可能となる構造になっている。
【０００４】
しかしながら、バケットの把手フレームにフィルター等を一体的に取り付けるという特許文献１に記載の構造は極めて複雑であり、汎用性も無いため、製造コストが極めて高価になるという問題があった。
【０００５】
また、簡単な構造により、排水ますの内部に水封用エルボやフィルター等の器具を着脱自在に取り付けられるようにする機構として、例えば特開２０１１−２２００１２号公報（特許文献２）に記載されているようなバヨネット方式を利用した着脱機構が知られている。
【０００６】
ところが、特許文献２に記載の着脱機構は、バヨネット方式において、水封用エルボやフィルター等を継手手段へ取り付け、取り外す際に必要となる回転角度を確保するために、水封用エルボ等に取り付けられる取手の長さは、排水ます本体の内壁と干渉しないように実質的に排水ます本体の半径よりも長くすることができないという制約があった。このため、特許文献２に記載の着脱機構を用いた場合は、フィルター等の取付け位置がます本体の点検口から下方へ深い位置にある時、水封用エルボ等を継手手段へ取り付け、取り外すことができなくなるという問題があった。
【先行技術文献】
【特許文献】
【０００７】
【特許文献１】特開２０１７−１５０１９１号公報
【特許文献２】特開２０１１−２２００１２号公報
【発明の概要】
【発明が解決しようとする課題】
【０００８】
そこで、本発明は、上部に点検口と周壁にフィルター等の雨水制御部を取り付け可能にした流出口とを有する立上り部を備えた雨水ますにおいて、雨水制御部がます本体の点検口から下方へ深い位置に取り付けられていても、或いはます本体中のどのような高さに取り付けられても、比較的簡単な構造によって雨水制御部を流出口へ取り付け、取り外しを可能にした雨水ますを提供することを目的とする。
【課題を解決するための手段】
【０００９】
本発明者等は、点検口とフィルター等の雨水制御部の取り付け可能な流出口とを有する立上り部を備えた雨水ますにおいて、ます本体中における雨水制御部の取付け位置に関わらず、雨水制御部を流出口へ取り付け取り外し可能にするため、流出口に対する雨水制御部の着脱機構と雨水制御部の着脱操作手段などについて鋭意検討を重ねた。その結果、雨水制御部は流出口に対してバヨネット方式により着脱し、そして雨水制御部の把手の上端部の中心を、流出口の回転面と平行な平面内において、雨水制御部の把手の取付け部の中心を通る法線から偏心して配置することで上記の課題を解決できることを見出し、本発明を完成させるに至った。
【００１０】
すなわち、本発明によれば、上部に点検口と周壁に流出口とを有する略円筒形の立上り部を備えたます本体と端部に装着口を有し、立上り部の内部へ突出するように流出口へ取り付けられる取付け部と、装着口に対してバヨネット方式で着脱自在に装着される被装着部を有する制御部本体と、制御部本体から上方へ延びる棒状の把手とからなる雨水制御部とを備えており、そして把手の上端部の中心は、被装着部の回転面と平行な平面内において、制御部本体上の把手の取付け部の中心を通る法線から偏心して配置されている雨水ますが提供される。
【００１１】
また、本発明の雨水ますは、ます本体の立上り部の下部に略円筒形の有底の泥溜め部を設け、泥溜め部の中にはバケットを着脱自在に収容し、そして立上り部の内径はバケットの外径よりも大きくし、且つ立上り部の中心軸は泥溜め部の中心軸よりも流出口側へ偏心させることもできる。
【００１２】
ここで「略円筒形」とは、全長に亘って同じ直径である円筒形のみならず、円錐形やひょうたん形など全長に亘って異なる直径部分を含む円筒形や、外周部にフランジが設けられた円筒形、周壁にスリットや孔、開口部が設けられた円筒形など含む概念である。
【００１３】
本発明の雨水ますでは、雨水の流れを制御するために、略円筒形の立上り部に設けられた流出口には、フィルターやオリフィス、逆流防止弁等の雨水制御部を取り付けるための、端部に装着口を有する取付け部が立上り部の内部へ突出するように取り付けられている。そして、取付け部の装着口には、バヨネット方式を利用して、被装着部を有する制御部本体と棒状の把手とからなる雨水制御部が着脱自在に装着されるが、制御部本体から上方へ延びる把手の上端部の中心は、被装着部の回転面と平行な平面内において、制御部本体上の把手の取付け部の中心を通る法線から偏心して配置されているという特徴がある。また、把手はその全部が棒状である必要はなく、特に立上り部の内壁と接する可能性のある上部の一部が棒状であればよい。
【００１４】
ここで「バヨネット方式」とは、雨水制御部側の被装着部に設けられたバヨネット突起を、雨水制御部を周方向へ回転させることにより取付け部側の装着口に設けられたバヨネット溝へ、嵌め込むという機構である。雨水制御部の着脱機構にバヨネット方式を用いると、比較的小さな回転角度で雨水制御部を簡単且つ確実に取付け部へ着脱できるようになる。
【００１５】
本発明の雨水ますの場合、制御部本体に取り付けられた把手の上端部の中心は、制御部本体上の把手の取付け部の中心を通る法線から偏心して配置されるので、把手の上端部は、被装着部の回転面と平行な平面内において、一方の側の上端部から立上り部の内壁までの距離が、他方の側の上端部から立上り部の内壁までの距離よりも長くなるように配置される。
【００１６】
このため、本発明の雨水ますは、把手の上端部の中心を、把手の取付け部の中心を通る法線から制御部本体を取付け部へ装着するための回転方向へ偏心させて、別言すれば、被装着部の回転面と平行な平面内において配置することができる。
【００１７】
より具体的には、例えば雨水制御部の把手が被装着部の回転面と平行な平面内において略鉛直方向に直立した状態にある時を、雨水制御部が取付け部と係合した装着位置となるようにセットし、一方、雨水制御部の把手の上端部が被装着部の回転面と平行な平面内において、上端部から立上り部の内壁までの距離の長い側へ回動して倒れた状態（傾転した状態）にある時を、雨水制御部が取付け部から脱係した脱離位置となるようにセットすることができる。把手が略鉛直方向に直立した状態にある時を雨水制御部の装着位置とした場合は、視覚的にも触覚的にも雨水制御部の装着状態を容易且つ正確に把握し易くなる。
【００１８】
この場合、把手の上端部の装着位置と脱離位置との間の回動ストローク、被装着部の回転角は、把手の上端部の中心が把手の取付け部の中心を通る法線上に配置されている場合の回動ストローク、回転角よりも長く大きくすることができる。把手の上端部の中心が把手の取付け部の中心を通る法線から偏心されず、法線上に配置されていると、把手の上端部は、被装着部の回転面と平行な平面内において、一方の側の上端部から立上り部の内壁までの距離と他方の側の上端部から立上り部の内壁までの距離がそれぞれ等しくなるように配置されるので、例えば平面視において、回動ストロークは立上り部の内径の半分以下しか有効活用できなくなるからである。
【００１９】
また、本発明の雨水ますでは、例えば雨水制御部の把手が被装着部の回転面と平行な平面内において略鉛直方向に直立した状態にある時を、雨水制御部が取付け部から脱係した脱離位置となるようにセットし、一方、雨水制御部の把手の上端部が被装着部の回転面と平行な平面内において、上端部から立上り部の内壁までの距離の長い側へ回動して倒れた状態（傾転した状態）にある時を、雨水制御部が取付け部と係合した装着位置となるようにセットしてもよい。把手が略鉛直方向に直立した状態にある時を雨水制御部の脱離位置とした場合は、把手を略鉛直方向に直立させたままの状態でフィルターを上げ下げして装着口への位置合せができるので、フィルターの操作性が向上する。
【００２０】
このように、把手の上端部の中心を把手の取付け部の中心を通る法線から偏心させた本発明の雨水ますは、把手の上端部の中心が把手の取付け部の中心を通る法線上に配置されている雨水ますに比べて、把手の上端部の回動ストローク、被装着部の回転角を長く大きく採ることができる。このため、例えば雨水制御部がます本体の点検口から下方へ深い位置に取り付けられている雨水ますにおいても、或いはます本体中のどのような高さに取り付けられている雨水ますにおいても、本発明で用いられる把手を適用すれば、基本的に立上り部の高さに拠らず、立上り部の上部点検口からでも、雨水制御部をバヨネット方式により取付け部へ取り付け、取り外すために必要な回転角度を確保することができるようになる。
【００２１】
なお、本発明の雨水ますにおいて、取付け部の装着口へ着脱自在に装着される雨水制御部としては、例えば網目から出来た半球形状のフィルターや円錐状のオリフィス、逆流防止弁などが挙げられるが、これらに限られるものではない。
【００２２】
さらに、本発明の雨水ますは、把手の上端部の中心を、把手の取付け部の中心を通る法線を含み且つ被装着部の回転面と直交する平面内において法線から偏心させて配置することもできる。
【００２３】
把手の取付け部の中心を通る法線を含み且つ被装着部の回転面と直交する平面内において、例えば把手の上端部の中心を、把手の取付け部の中心を通る法線から立上り部の中心軸方向へ偏心させて配置すると、立上り部の中心軸へ近づけば近づくほど、被装着部の回転面と平行な平面内における一方の側の立上り部の内壁から他方の側の立上り部の内壁までの距離は略立上り部の内径と等しくなり、最長となる。
【００２４】
このため、把手の上端部の中心を、被装着部の回転面と平行な平面内において、把手の取付け部の中心を通る法線から偏心させて配置すると共に、前記法線を含み且つ被装着部の回転面と直交する平面内においても前記法線から偏心させて配置すると、立上り部の内部空間（内径）を最大限に活用して、把手の上端部の装着位置と脱離位置との間の回動ストローク、被装着部の回転角を設定することができる。
【００２５】
本発明の雨水ますでは、フィルター等の雨水制御部を取付け部へ装着した時、雨水制御部の把手部分は、雨水ますの立上り部の中心軸と略平行に配置されることが好ましい。雨水制御部の把手部分は棒状であるので、立上り部の中心軸と略平行に配置されると、すなわち略鉛直方向に配置されると、把手の棒状部分が横方向へ延びたり曲がる等することによって立上り部の内壁と干渉するリスクが軽減され、立上り部の内部空間（内径）を有効に活用することができる。
【００２６】
本発明の雨水ますは、ます本体の立上り部の下部に、着脱自在に収容されるバケットを備えた略円筒形の有底の泥溜め部を接続してもよく、この場合、立上り部の内径はバケットの外径よりも大きく、且つ立上り部の中心軸は泥溜め部の中心軸よりも流出口側へ偏心させることが好ましい。
【００２７】
泥溜め部を備えた雨水ますは、立上り部の内部において、取付け部と、流入支管または流入支管へ接続された外部流入管の端部が突出しており、そしてその下部には略円筒形の有底の泥溜め部と、泥溜め部の中から取り出し取り付け可能なバケットが備え付けられている。
【００２８】
このため、本発明の雨水ますでは、バケットを取り出せるように略円筒形の立上り部の内径が、その下部に接続される略円筒形の泥溜め部の内径および泥溜め部の中に収容される略円筒形のバケットの外径よりも大きく、且つ立上り部の中心軸は泥溜め部の中心軸よりも流出口側へ偏心されている。また、バケットの外径は泥溜め部の内径よりも小さいので、立上り部の内径が泥溜め部の内径よりも大きければ、バケットの外径よりも大きくなる。
【００２９】
本発明の雨水ますは、立上り部の内径が泥溜め部の内径よりも大きいので、泥溜め部の内壁面を立上り部の内壁面よりも内側領域へ配置しながら、立上り部の中心軸を泥溜め部の中心軸に対して偏心させて配置することができる。
【００３０】
さらに、本発明の雨水ますは、立上り部の中心軸を泥溜め部の中心軸よりも流出口側へ偏心させることができるので、平面視において、泥溜め部の中に収容されたバケットを、立上り部の周壁と、立上り部に取り付けられた取付け部と、そして流入支管と重なり合わない位置に配置することができる。別言すれば、平面視において、泥溜め部の中に収容されたバケットの外径は、立上り部の中の取付け部の装着口と流入口の端面（内壁面）との間の距離よりも小さい。このため、本発明の雨水ますは、引用文献１に記載されているような複雑なフィルター着脱機構等を用いることなく、簡単な構造によって泥溜め部からバケットを自由に出し入れできるようになる。
【００３１】
雨水ますのます本体は、主として略円筒形の立上り部と略円筒形の有底の泥溜め部とから構成されているが、両者は必ずしも一体的に形成されている必要はなく、立上り部と泥溜め部とが別個独立した部品として形成されていてもよい。
【００３２】
立上り部と泥溜め部を別々の部品として形成すると、例えば立上り部は略円筒形であるので、汎用の円管を立上り部へ簡単に流用することが可能になる。
【００３３】
また、立上り部の直径と泥溜め部の直径が互いに異なるような場合においても、上部受口の内径が下部受口の内径よりも大きく、且つ上部受口の中心軸が下部受口の中心軸から偏心している異径筒継手を立上り部と泥溜め部の間に挟み込むことにより、立上り部と泥溜め部を所望する任意の相対的な配置において簡単に接続することができるようになる。さらに、異径筒継手を用いて立上り部と泥溜め部を接続した雨水ますは、両者を一体的に成形した雨水ますと比べて設計の自由度が増し、逆に製造コストは大幅に低減される。
【発明の効果】
【００３４】
本発明の雨水ますによれば、把手の上端部の中心を把手の取付け部の中心を通る法線から偏心させているので、把手の上端部の中心が把手の取付け部の中心を通る法線上に配置されている雨水ますに比べて、把手の上端部の回動ストローク、被装着部の回転角を長く大きく採ることができる。このため、例えばフィルター等の雨水制御部がます本体の点検口から下方へ深い位置に取り付けられている雨水ますにおいても、或いはます本体中のどのような高さに取り付けられている雨水ますにおいても、本発明で用いられる把手を適用すれば、基本的に立上り部の高さに拠らず、立上り部の上部点検口からでも、雨水制御部をバヨネット方式により取付け部へ取り付け、取り外すために必要な回転角度を確保することができるようになる。
【００３５】
このため、把手の上端部の中心を、被装着部の回転面と平行な平面内において、把手の取付け部の中心を通る法線から偏心させて配置すると共に、前記法線を含み且つ被装着部の回転面と直交する平面内においても前記法線から偏心させて配置すると、立上り部の内部空間（内径）を最大限に活用して、把手の上端部の装着位置と脱離位置との間の回動ストローク、被装着部の回転角を設定することができるようになる。
【００３６】
本発明の雨水ますでは、フィルター等の雨水制御部を取付け部へ装着した時、雨水制御部の把手部分が雨水ますの立上り部の中心軸と略平行となるように配置すると、把手の棒状部分が横方向へ延びたり曲がる等することによって立上り部の内壁と干渉するリスクが軽減され、立上り部の内部空間（内径）を有効に活用することができる。
【００３７】
本発明の雨水ますによれば、平面視において、泥溜め部の中に収容されたバケットを、立上り部の周壁と、立上り部に取り付けられた取付け部と、そして流入支管と重なり合わない位置に配置することができるので、複雑なフィルター着脱機構等を用いることなく、簡単な構造によって泥溜め部からバケットを自由に出し入れできるようになる。
【図面の簡単な説明】
【００３８】
【図１】本発明の雨水ますの一の実施形態を示す正面図である。
【図２】図１に示される本発明の雨水ますの右側面図である。
【図３】図１に示される本発明の雨水ますの左側面図である。
【図４】図１に示される本発明の雨水ますをＡ−Ａ断面で切り取った断面図である（フィルター取付け状態）。
【図５】図２に示される本発明の雨水ますをＢ−Ｂ断面で切り取った断面図である（フィルター取付け状態）。
【図６】図１に示される本発明の雨水ますをＡ−Ａ断面で切り取った断面図である（フィルター取外し状態）。
【図７】図２に示される本発明の雨水ますをＢ−Ｂ断面で切り取った断面図である（フィルター取外し状態）。
【図８】図１に示される本発明の雨水ますの平面図である（フィルター取付け状態）。
【図９】図１に示される本発明の雨水ますの平面図である（フィルター取外し状態）。
【図１０Ａ】取外したフィルター単体の正面図である。
【図１０Ｂ】取外したフィルター単体の背面図である。
【図１０Ｃ】取外したフィルター単体の左側面図である。
【発明を実施するための形態】
【００３９】
以下、本発明の一実施形態に係る雨水ますについて、図面を参照しながら詳細に説明する。なお、本発明は、以下に示される実施例に限定されるものではなく、本発明の技術的思想を逸脱しない範囲内で各種の変更が可能である。
【実施例】
【００４０】
図面を用いて、本発明の一実施形態に係る雨水ます１の主な構成を説明する。図１には、本実施形態に係る雨水ます１を正面から見た正面図が示されており、図２には、本実施形態に係る雨水ます１を右側面から見た右側面図が示されており、図３には、本実施形態に係る雨水ます１を左側面から見た左側面図が示されている。
【００４１】
また、流出口３３の取付け管３４にフィルター７を取り付けた態様において、図４には、図１に示される本実施形態に係る雨水ます１をＡ−Ａ断面で切り取った断面図が示されており、図５には、本実施形態に係る雨水ます１をＢ−Ｂ断面で切り取った断面図が示されている。さらに、図８には、流出口３３の取付け管３４にフィルター７を取り付けた態様において、本実施形態に係る雨水ます１を上方から見た平面図が示されている。
【００４２】
流出口３３の取付け管３４からフィルター７を取り外した態様において、図６には、図１に示される本実施形態に係る雨水ます１をＡ−Ａ断面で切り取った断面図が示されており、図７には、本実施形態に係る雨水ます１をＢ−Ｂ断面で切り取った断面図が示されている。さらに、図９には、流出口３３の取付け管３４にフィルター７を取り外した態様において、本実施形態に係る雨水ます１を上方から見た平面図が示されている。
【００４３】
図１〜５，８を参照して理解されるように、本実施形態の雨水ます１は、主として上部に点検口３２と流出口３３とを有する略円筒形の立上り部３と、立上り部３の下部に接続される略円筒形の有底の泥溜め部４とからなるます本体２と、泥溜め部４の中に着脱自在に収容されるバケット５と、立上り部３と泥溜め部４との間に挟み込まれる異径管継手６とから構成されている。そして、立上り部３の流出口３３には内部へ突出した取付け管３４を介してフィルター７が取り付けられており、一方、流入口は、ホールソー等を用いて立上り部の周壁３１に流入側開口部３６を穴開けし、流入側開口部３６へ流入支管３７を取り付けることにより形成されている（図４，８参照）。また、本実施形態の雨水ます１を構成する上述の部品は、その成形性、取り扱いの容易性等を考慮して、主として塩化ビニール樹脂からできている。
【００４４】
図６，７，９に詳しく図示されているように、流出口３３へ取り付けられる取付け管３４は、フィルターやオリフィス、逆流防止弁等の雨水制御部７を取り付けるために、その端部に円形の装着口３５を有している。
【００４５】
図１０Ａ，１０Ｂおよび１０Ｃには、流出口３３の取付け管３４から取外したフィルター７単体の正面図，背面図および左側面図が示されている。
【００４６】
取付け管３４に対し、取付け管３４へ着脱自在に装着されるフィルター７は、図１０Ａ，１０Ｂ，１０Ｃに詳しく図示されているように、網目から出来た半球形状のフィルター部分と、取付け管３４の装着口３５とバヨネット方式により係合・脱係する被装着部７０とからなるフィルター本体７１と、フィルター本体７１から上方へ延びる棒状の把手７２とを備えている。そして、把手７２の上端部の中心７３は、被装着部７０の回転面と平行な平面内において、制御部本体７１上の把手７２の取付け部の中心を通る法線７４から偏心して配置されている（図５，１０Ａ，１０Ｂ参照）。また、把手７２はその全部が棒状である必要はなく、特に立上り部３の内壁と接する可能性のある上部の一部が棒状であればよい。
【００４７】
ここで、「バヨネット方式」とは、フィルター（雨水制御部）７側の被装着部７０に設けられたバヨネット突起を、フィルター本体（制御部本体）７１を周方向へ回転させることにより取付け管３４側の装着口３５に設けられたバヨネット溝へ、嵌め込むという機構である。フィルター７等の着脱機構にバヨネット方式を用いると、小さな回転角度でフィルター７等を簡単且つ確実に取付け管３４へ着脱できるようになるので、本実施形態のように、フィルター７に棒状の把手７２を取り付ければ、立上り部３の上部点検口３２からでも、把手７２を操作することによりフィルター７を簡単に着脱できるようになる。
【００４８】
本実施形態の雨水ます１の場合、フィルター本体７１に取り付けられた把手７２の上端部の中心７３は、フィルター本体７１上の把手７２の取付け部の中心を通る法線７４から偏心して配置されているので、把手７２の上端部は、被装着部７０の回転面と平行な平面内において、一方の側の上端部から立上り部３の内壁までの距離が、他方の側の上端部から立上り部３の内壁までの距離よりも長くなるように配置される。
【００４９】
このため、本実施形態の雨水ます１は、把手７２の上端部の中心７３を、把手７２の取付け部の中心を通る法線７４からフィルター本体７１を取付け管３４へ装着するための回転方向へ偏心させて、別言すれば、被装着部７０の回転面と平行な平面内において配置することができる。
【００５０】
本実施形態の雨水ます１では、フィルター７の把手７２が被装着部７０の回転面と平行な平面内において略鉛直方向に直立した状態にある時（図４，５）を、フィルター７が取付け管３４と係合した装着位置となるようにセットされており、一方、フィルター７の把手７２の上端部が被装着部７０の回転面と平行な平面内において、上端部から立上り部３の内壁までの距離の長い側へ回動して倒れた状態（傾転した状態）にある時を、フィルター７が取付け管３４から脱係した脱離位置となるようにセットされている。上述のように、把手７２が略鉛直方向に直立した状態にある時をフィルター７の装着位置とした場合は、視覚的にも触覚的にもフィルター７の装着状態を容易且つ正確に把握し易くなる。
【００５１】
本実施形態の場合、把手７２の上端部の装着位置と脱離位置との間の回動ストローク、被装着部７０の回転角（図５，８参照）は、図示しないが、把手７２の上端部の中心７３が把手７２の取付け部の中心を通る法線７４上に配置されている場合の回動ストローク、回転角よりも長く大きくすることができる。把手７２の上端部の中心７３が把手７２の取付け部の中心を通る法線７４から偏心されず、法線７４上に配置されていると、把手７２の上端部は、被装着部７０の回転面と平行な平面内において、一方の側の上端部から立上り部３の内壁までの距離と他方の側の上端部から立上り部３の内壁までの距離がそれぞれ等しくなるように配置されるので、例えば平面視において、回動ストロークは立上り部３の内径の半分以下しか有効活用できなくなるからである。
【００５２】
また、本実施形態の雨水ます１では、例えばフィルター７の把手７２が被装着部７０の回転面と平行な平面内において略鉛直方向に直立した状態にある時（図４，５）を、フィルター７が取付け管３４から脱係した脱離位置となるようにセットし、一方、フィルター７の把手７２の上端部が被装着部７０の回転面と平行な平面内において、上端部から立上り部３の内壁までの距離の長い側へ回動して倒れた状態（傾転した状態）にある時を、フィルター７が取付け管３４と係合した装着位置となるようにセットしてもよい。把手７２が略鉛直方向に直立した状態にある時をフィルター７の脱離位置とした場合は、把手７２を略鉛直方向に直立させたままの状態でフィルター７を上げ下げして装着口３５への位置合せができるので、フィルター７の操作性が向上する。
【００５３】
このように、把手７２の上端部の中心７３を把手７２の取付け部の中心を通る法線７４から偏心させると、把手７２の上端部の中心７３が把手７２の取付け部の中心を通る法線７４上に配置されている雨水ますに比べて、把手７２の上端部の回動ストローク、被装着部７０の回転角を長く大きく採ることができる。このため、例えばフィルター７がます本体２の点検口３２から下方へ深い位置に取り付けられている雨水ます１においても、或いはます本体中のどのような高さに取り付けられている雨水ます１においても、本実施形態で用いられる把手７２を適用すれば、基本的に立上り部３の高さに拠らず、立上り部３の上部点検口３２からでも、フィルター７をバヨネット方式により取付け管３４へ取り付け、取り外すために必要な回転角度を確保することができるようになる。
【００５４】
なお、本実施形態の雨水ます１では、取付け管３４の装着口３５へ着脱自在に装着される雨水制御部としては、図１０Ａ〜１０Ｃに示されているフィルター７の他に円錐状のオリフィス（図示せず）、逆流防止弁などに適用することができる。
【００５５】
さらに、本実施形態の雨水ます１では、把手７２の上端部の中心７３は、把手７２の取付け部の中心を通る法線７４を含み且つ被装着部７０の回転面と直交する平面内において法線７４から偏心して配置されている（図４，１０Ｃ参照）。
【００５６】
本実施形態の雨水ます１の場合、把手７２の上端部の中心７３は、把手７２の取付け部の中心を通る法線７４を含み且つ被装着部７０の回転面と直交する平面内において、把手７２の取付け部の中心を通る法線７４から立上り部３の中心軸３０方向へ偏心して配置されているので、立上り部３の中心軸３０へ近づけば近づくほど、被装着部７０の回転面と平行な平面内における一方の側の立上り部３の内壁から他方の側の立上り部３の内壁までの距離は略立上り部３の内径と等しくなり、最長となる。
【００５７】
このように、本実施形態の雨水ます１は、把手７２の上端部の中心７３を、被装着部７０の回転面と平行な平面内において、把手７２の取付け部の中心を通る法線７４から偏心させて配置すると共に、法線７４を含み且つ被装着部７０の回転面と直交する平面内においても法線７４から偏心させて配置しているので、立上り部３の内部空間（内径）を最大限に活用して、把手７２の上端部の装着位置と脱離位置との間の回動ストローク、被装着部７０の回転角を設定することができる。
【００５８】
また、本実施形態の雨水ます１では、フィルター７の把手部分７２は、フィルター７を取付け管３４へ装着した時、雨水ます１の立上り部３の中心軸３０と平行になるように配置されている（図４，５参照）。本実施形態において、フィルター７の把手７２の大部分は略直線状の棒形状を有しているので、立上り部３の中心軸３０と平行になるように配置すると、すなわち略鉛直方向に配置すると、把手７２の棒状部分が横方向へ延びたり曲がる等することによって立上り部３の内壁と干渉するリスクが軽減され、立上り部３の内部空間（内径）を有効に活用することができる。
【００５９】
次に、本実施形態のフィルター７を着脱する手順について簡単に説明する。本実施形態のフィルター７は、把手７２が鉛直方向に直立した状態にある時（図４，５）、ます本体２の中の取付け管３４と係合した装着状態にあり、一方、把手７２が鉛直方向から傾転した状態にある時（図示せず）、ます本体２の中の取付け管３４から脱係した脱離状態にある。このため、装着状態にあるフィルター７をます本体２の中から外部へ取り出す際は、先ず鉛直方向に直立した状態にある把手７２（図４，５）を立上り部３の内壁へ向けて傾転させることによりフィルター７を取付け管３４から脱係した後、そのまま把手７２を介してフィルター７をます本体２の点検口３２から引き上げればよい。
【００６０】
この場合、フィルター７を脱離するための把手７２の傾転方向は、図５に示される態様においては、把手７２の上端部から左側の立上り部３の内壁までの距離が、把手７２の上端部から右側の立上り部３の内壁までの距離よりも長いので、把手７２の回動ストローク、被装着部７０の回転角を長く大きく採れる左側の立上り部３の内壁へ向けて傾転させることになる。また、脱離状態にあるフィルター７をます本体２の中の取付け管３４へ取り付ける際は、上記の手順の逆の手順を実行すればよい。
【００６１】
逆に、本実施形態のフィルター７が、把手７２が鉛直方向から傾転した状態にある時（図示せず）、ます本体２の中の取付け管３４と係合した装着状態にあり、一方、把手７２が鉛直方向に直立した状態にある時（図４，５）、ます本体２の中の取付け管３４から脱係した脱離状態にある場合を説明する。
【００６２】
この場合、外部にあるフィルター７をます本体２の中へ挿入し、取付け管３４へ装着する際は、先ず把手７２を鉛直方向に直立した状態にしたまま、把手７２を介してフィルター７をます本体２の中へ挿入する。そして、フィルター７の被装着部７０を取付け管３４の装着口３５へ位置合わせをした後、直立した状態にある把手７２（図４，５）を立上り部３の内壁へ向けて傾転させることによりフィルター７を取付け管３４へ装着する。
【００６３】
この場合、フィルター７を装着するための把手７２の回転方向は、図５に示される態様においては、把手７２の上端部から左側の立上り部３の内壁までの距離が、把手７２の上端部から右側の立上り部３の内壁までの距離よりも長いので、把手７２の回動ストローク、被装着部７０の回転角を長く大きく採れる左側の立上り部３の内壁へ向けて回転させることになる。また、装着状態にあるフィルター７をます本体２の中から外部へ取り出す際は、上記の手順の逆の手順を実行すればよい。
【００６４】
上述したように、図４，５，８には、流出口３３の取付け管３４にフィルター７を取り付けた態様における本実施形態に係る雨水ます１の断面図や平面図が示されており、図６，７，９には、流出口３３の取付け管３４からフィルター７を取り外した態様における本実施形態に係る雨水ます１の断面図や平面図が示されている。
【００６５】
本実施形態の雨水ます１は、ます本体２の立上り部３の下部に、着脱自在に収容されるバケット５を備えた略円筒形の有底の泥溜め部４が接続されており、立上り部３の内径はバケット５の外径よりも大きく、且つ立上り部３の中心軸３０は泥溜め部４の中心軸４０よりも流出口３３側へ偏心されている。
【００６６】
図６，７，９を参照して理解されるように、本実施形態の雨水ます１ではバケット５を取り出せるように、立上り部３の内径がその下部に接続される泥溜め部４の内径および泥溜め部４の中に収容されるバケット５の外径よりも大きく、且つ立上り部３の中心軸３０が泥溜め部４の中心軸４０よりも流出口３３側へ偏心されている。また、バケット５の外径は泥溜め部４の内径よりも小さいので、立上り部３の内径が泥溜め部４の内径よりも大きければ、バケット５の外径よりも大きくなる（図９参照）。
【００６７】
本実施形態の雨水ます１は、立上り部３の内径が泥溜め部４の内径よりも大きいので、泥溜め部４の内壁面を立上り部３の内壁面よりも内側領域へ配置しながら、立上り部３の中心軸３０を泥溜め部４の中心軸４０に対して偏心させて配置することができる。
【００６８】
また、本実施形態の雨水ます１は、立上り部３の中心軸３０を泥溜め部４の中心軸４０よりも流出口３３側へ偏心させることができるので、平面視において、泥溜め部４の中に収容されたバケット５を、立上り部３の周壁３１と、立上り部３に取り付けられた取付け管３４と、そして流入支管３７と重なり合わない位置に配置することができる（図９参照）。別言すれば、平面視において、泥溜め部４の中に収容されたバケット５の外径は、立上り部３の中の取付け管３４の装着口３５と流入口の端面（内壁面）との間の距離よりも小さい。このため、本実施形態の雨水ます１は、複雑なフィルター着脱機構等を用いることなく、簡単な構造によって泥溜め部４からバケット５を自由に出し入れできるようになる。
【００６９】
雨水ます１のます本体２は、主として略円筒形の立上り部３と略円筒形の有底の泥溜め部４とから構成されているが、両者は必ずしも一体的に形成されている必要はなく、本実施形態のように、立上り部３と泥溜め部４とが別個独立した部品として形成されていてもよい。
【００７０】
本実施形態のように立上り部３と泥溜め部４を別々の部品として形成すると、立上り部３は略円筒形であるので、汎用の円管を立上り部３へ簡単に流用することが可能になる。
【００７１】
本実施形態の雨水ます１では、上述したように、立上り部３の直径と泥溜め部４の直径が互いに異なっているが、上部受口６０の内径が下部受口６２の内径よりも大きく、且つ上部受口の中心軸６１が下部受口の中心軸６３から偏心している異径筒継手６を立上り部３と泥溜め部４の間に挟み込んでいるので、立上り部３と泥溜め部４を所望する任意の相対的な配置において簡単に接続することができる。また、本実施形態のように異径筒継手６を用いて立上り部３と泥溜め部４を接続した雨水ます１は、両者を一体的に成形した雨水ますと比べて設計の自由度が増し、逆に製造コストを大幅に低減することができる。
【００７２】
本実施形態の立上り部３は、雨水ます１の高さを調節するため、任意の高さ（長さ）に切断することが可能であり、規格化された汎用の円管を使用することができる。このため、本実施形態の雨水ます１は、施工現場において、設置環境に合わせて様々な深さの設置場所へ設置することができる。
【００７３】
泥溜め部４は雨水ます１の専用の部品であるが、上述したように異径管継手６を介して立上り部３の下部へ接続されるので、立上り部３の口径に左右させることなく任意の口径を有する泥溜め部４を準備することが可能となり、製作しなければならない泥溜め部４の種類の数を抑えることができる。
【００７４】
泥溜め部４の中に収容されるバケット５は有底の筒状体であり、バケット５に滞留させた雨水を泥溜め部４へ排出するために泥溜め部４の内径より小さな外径を有しており、泥溜め部４との間には隙間が形成されている（図８，９参照）。
【００７５】
図１〜３を参照して理解されるように、本実施形態の泥溜め部４はその側壁に縦長で複数の透水スリット４１を設けてもよいし、勿論、設けなくてもよい。透水スリット４１は複数の透水孔又は透水スリット４１と透水孔とを組み合わせたものへ置き換えてもよい。そして、透水スリット４１を設けた場合は、バケット５は、バケット５を泥溜め部４の中へ装着した時、泥溜め部４の透水スリット４１の上端よりも高い位置に配置される複数の貫通孔（図示せず）を設けることが好ましい。また、バケット５の貫通孔も、複数の貫通スリット又は貫通孔と貫通スリットとの組み合わせたものへ置き換えてもよい。
【００７６】
このように、雨水ます１の下部に、バケット５を囲むように側壁に複数の透水スリット４１が設けた場合も、泥溜め部４の中にはバケット５が着脱自在に装着される。流入支管３７を通して流入した泥、枯葉等の異物を含む雨水はバケット５内へ流入するが、バケット５の下部領域には貫通孔が設けられていないので、バケット５内へ流入した雨水等は一旦バケット５内の下部領域に滞留し、雨水等に含まれる異物はバケット５内の下部領域にそのまま堆積する。そしてバケット５内に雨水等が溜ってくると、バケット５内に滞留した雨水等の上澄み液のみがバケット５の上部領域に設けられた貫通孔を通してバケット５の外部へ排出され、バケット５の外部へ排出された雨水等の上澄み液は、次いで泥溜め部４に設けられ透水スリット４１を通して泥溜め部４の外部へ排水される。
【００７７】
このため、上述のように泥溜め部４の側壁に複数の透水スリット４１を設け、バケットには、泥溜め部４の透水スリット４１の上端よりも高い位置に貫通孔を設けると、雨水ます１は浸透ますとしても機能し、そして雨水等に含まれる異物はバケット５内の下部領域に残留することになるため、異物が雨水ますから、雨水ます１の外部に敷き詰めた砕石槽（図示せず）へ向けて流出することがなくなり、前記砕石槽の目詰まりを防止することができる。
【００７８】
また、泥溜め部４の中に装着されるバケット５は、上述のように着脱自在であるため、堆積した異物を除去する際も、バケット５をます本体２の点検口３２から抜き出して、バケット５内の異物を廃棄するといった極めて簡単な作業で済ませることができるので、雨水ます１のメンテナンス性が向上する。
【００７９】
なお、本実施形態の雨水ます１では、泥溜め部４の透水スリット４１またはバケット５の貫通孔のいずれか一方を省略してもよく、或いは透水スリット４１および貫通孔の両方を省略してもよい。泥溜め部４の透水スリット４１を省略した場合、雨水ます１は浸透ますとして機能しなくなるが、通常の雨水ます１として使用することができる。
【００８０】
本実施形態の雨水ます１は、外部から雨水ます１へ雨水等を流入させるための流入口として、外部から雨水ますへ連通する流入支管３７（図１，６，９の右側）と、雨水ます１から外部へ雨水等を流出させるための流出口として、雨水ます１から外部へ連通する取付け管３４（図１〜３の右側）とが、それぞれの中心軸が同じ高さとなるように、そして水平方向に１８０°向きを変えた鏡面対称の配置となるように立上り管３の周壁に取り付けられている。
【００８１】
本実施形態の流入支管３７は、立上り部３の周壁に設けられ流入側開口部３６に後付けすることができるので、ます本体２を外部流入管の接続位置に合わせて据付レベルや方向を調節することなく、流入支管３７を立上り部３の自由な位置（高さ、方向）に任意の方向に向けて取り付けることができる。なお、流入側開口部３６は、施工現場等にて、ホールソー等を用いて立上り部３の周壁をくり貫くことにより、立上り部３の周壁の任意の位置に設けることができる。
【００８２】
図１，４，６に示されているように、本実施形態の流入支管３７は、外部流入管と接続する受口を有する支管本体３８と、支管本体３８を支持するために立上り部３の外壁面に接着されるフランジ部を有するフランジ管３９とから構成されている。支管本体３８の受口の内部には、外部流入管の先端部を当接させるために内部へ向かって縮径するテーパー部（又は段部でもよい）を有しており、フランジ管３９のフランジ部は、立上り管３の外壁面に沿うように湾曲している（図１参照）。
【符号の説明】
【００８３】
１・・・・・雨水ます
２・・・・・ます本体
３・・・・・立上り部
３０・・・・立上り部の中心軸
３１・・・・周壁
３２・・・・点検口
３３・・・・流出口
３４・・・・取付け管（取付け部）
３５・・・・装着口
３６・・・・流入側開口部
３７・・・・流入支管
３８・・・・支管本体
３９・・・・フランジ管
４・・・・・泥溜め部
４０・・・・泥溜め部の中心軸
４１・・・・透水スリット
５・・・・・バケット
６・・・・・異径管継手
６０・・・・上部受口
６１・・・・上部受口の中心軸
６２・・・・下部受口
６３・・・・下部受口の中心軸
７・・・・・フィルター（雨水制御部）
７０・・・・被装着部
７１・・・・フィルター本体（制御部本体）
７２・・・・把手
７３・・・・把手上端部の中心
７４・・・・把手取付け部を通る法線
【図１】
2020007715.tif 000003
【図２】
2020007715.tif 000004
【図３】
2020007715.tif 000005
【図４】
2020007715.tif 000006
【図５】
2020007715.tif 000007
【図６】
2020007715.tif 000008
【図７】
2020007715.tif 000009
【図８】
2020007715.tif 000010
【図９】
2020007715.tif 000011
【図１０Ａ】
2020007715.tif 000012
【図１０Ｂ】
2020007715.tif 000013
【図１０Ｃ】
2020007715.tif 000014